(57)【要約】【課題】第一部分と第二部分との間隔が狭い場合でも作業者によるピッキング作業が可能なピッキング設備の実現。【解決手段】第一コンベヤ１と第二コンベヤ２と移載装置３とを備え、第一コンベヤ１は、第二コンベヤ２の第二部分２Ａと平行な第一部分１Ａを有し、第一部分１Ａは、第二部分２Ａに対して幅方向Ｙにおいて作業者が入れない間隔Ｄで設置され、第二部分２Ａの第二搬送位置Ｐ２は、第一部分１Ａの第一搬送位置Ｐ１よりも搬送方向の上流側に設定され、第二部分２Ａに作業エリアＥ１が設定され、第二コンベヤ２は、搬送方向に第二容器Ｃ２を搬送する搬送状態と、作業エリアＥ１に作業者が入れる状態となるように作業エリアＥ１から退避する退避状態と、に切り換え自在な可動コンベヤ部１２を備える。【選択図】図１
2019043698.tif 000002
【特許請求の範囲】
【請求項１】
物品を収容した第一容器を搬送する第一コンベヤと、第二容器を搬送する第二コンベヤと、前記第一容器から前記第二容器に物品を移載する移載装置と、を備えたピッキング設備であって、
前記第一コンベヤは、前記第二コンベヤの第二部分と平行な第一部分を有し、
前記第二部分の搬送方向に対して、平面視で直交する方向を幅方向として、
前記第一部分は、前記第二部分に対して前記幅方向において作業者が入れない間隔で設置され、
前記第一部分に、第一搬送位置が設定され、
前記第二部分に、第二搬送位置が設定され、
前記移載装置は、前記第一搬送位置に位置する前記第一容器から前記第二搬送位置に位置する第二容器に物品を移載し、
前記第二部分における、前記第一搬送位置に対して前記幅方向に並ぶ位置で且つ前記第二搬送位置に対して前記搬送方向に並ぶ位置に作業エリアが設定され、
前記第二コンベヤは、前記作業エリアに設けられた可動コンベヤ部を備え、
前記可動コンベヤ部は、前記搬送方向に前記第二容器を搬送する搬送状態と、前記作業エリアに作業者が入れる状態となるように前記作業エリアから退避する退避状態と、に切り換え自在に構成されているピッキング設備。
【請求項２】
前記第二搬送位置は、前記第一搬送位置よりも前記搬送方向の上流側に設定され、
前記移載装置は、平面視で、前記第一搬送位置に対して前記搬送方向の上流側に並び且つ前記第二搬送位置に対して前記幅方向に並ぶ位置に設置されている請求項１に記載のピッキング設備。
【請求項３】
前記幅方向における前記作業エリアに対して前記第一搬送位置が存在する方向を幅第一方向として、
前記作業エリアに対して前記幅第一方向に、作業内容を表示する表示部が備えられている請求項１又は２に記載のピッキング設備。
【請求項４】
前記第一部分が前記第一容器を搬送する方向を第一搬送方向として、
前記第一コンベヤは、前記第一容器を前記第一搬送方向に搬送して前記第一容器を第三搬送位置に搬送する第一搬送部と、前記第一容器を前記幅方向に搬送して前記第一容器を前記第三搬送位置から第四搬送位置に搬送する第二搬送部と、前記第一容器を前記第一搬送方向に搬送して前記第一容器を前記第四搬送位置から前記第一搬送位置に搬送する第三搬送部と、を備え、
前記第一搬送部又は第三搬送部は、前記第一搬送方向に搬送される前記第一容器を受け止める第一受止部を備え、
前記第二搬送部は、前記幅方向に搬送される前記第一容器を受け止める第二受止部を備えている請求項１から３のいずれか一項に記載のピッキング設備。
【請求項５】
前記移載装置は、架台上に設置され、
前記架台は、前記第一部分により搬送される前記第一容器の上端と、前記第二部分により搬送される前記第二容器の上端と、のうちの少なくとも一方より上方に設置されている請求項１から４のいずれか一項に記載のピッキング設備。
【発明の詳細な説明】
【技術分野】
【０００１】
本発明は、物品を収容した第一容器を搬送する第一コンベヤと、第二容器を搬送する第二コンベヤと、前記第一容器から前記第二容器に物品を移載する移載装置と、を備えたピッキング設備に関する。
【背景技術】
【０００２】
かかるピッキング設備の従来例が、特開２０１５−２０３５９６号公報（特許文献１）に記載されている。特許文献１のピッキング設備は、第一コンベヤ（第１搬送装置１）により第一容器（入出庫用容器Ｃ１）を第一搬送位置Ｐ１に搬送し、第二コンベヤ（第２搬送装置２）により第二容器（ピッキング用容器Ｃ２）を第二搬送位置Ｐ２に搬送する。第一搬送位置Ｐ１と第二搬送位置Ｐ２とは、コンベヤの幅方向に並んでおり、移載装置３により、第一搬送位置Ｐ１に位置する第一容器から物品を取り出し、第二搬送位置Ｐ２に位置する第二容器に物品を収容するようにして、第一容器から第二容器に物品を移載している。
【先行技術文献】
【特許文献】
【０００３】
【特許文献１】特開２０１５−２０３５９６号公報
【発明の概要】
【発明が解決しようとする課題】
【０００４】
このようなピッキング設備において、移載装置による移載の途中に移載装置が保持していた物品を落とす等により移載装置による移載を継続することができなくなった場合は、移載装置を一旦停止させる。そして、作業者が第一コンベヤと第二コンベヤとの間に進入して第一搬送位置と第二搬送位置との間に立ち、移載装置が移載できなかった物品を作業者が移載し、作業者が退出した後に、移載装置を作動させることで、移載装置によるピッキング作業を再開するようにしていた。
しかし、移載装置の小型化やピッキング設備の省スペース化により、第一コンベヤと第二コンベヤとの間隔、特に、第一コンベヤにおける第一搬送位置が設定されている第一部分と第二コンベヤにおける第二搬送位置が設定されている第二部分との間隔が、作業者が入れない間隔となっている場合がある。このような場合には、作業者が第一位置と第二位置との間に進入してピッキング作業を行うことができない。
【０００５】
そこで、第一部分と第二部分との間隔が狭い場合でも作業者によるピッキング作業が可能なピッキング設備の実現が望まれる。
【課題を解決するための手段】
【０００６】
上記に鑑みた、ピッキング設備の特徴構成は、物品を収容した第一容器を搬送する第一コンベヤと、第二容器を搬送する第二コンベヤと、前記第一容器から前記第二容器に物品を移載する移載装置と、を備え、
前記第一コンベヤは、前記第二コンベヤの第二部分と平行な第一部分を有し、前記第二部分の搬送方向に対して、平面視で直交する方向を幅方向として、前記第一部分は、前記第二部分に対して前記幅方向において作業者が入れない間隔で設置され、前記第一部分に、第一搬送位置が設定され、前記第二部分に、第二搬送位置が設定され、前記移載装置は、前記第一搬送位置に位置する前記第一容器から前記第二搬送位置に位置する第二容器に物品を移載し、前記第二部分における、前記第一搬送位置に対して前記幅方向に並ぶ位置で且つ前記第二搬送位置に対して前記搬送方向に並ぶ位置に作業エリアが設定され、前記第二コンベヤは、前記作業エリアに設けられた可動コンベヤ部を備え、前記可動コンベヤ部は、前記搬送方向に前記第二容器を搬送する搬送状態と、前記作業エリアに作業者が入れる状態となるように前記作業エリアから退避する退避状態と、に切り換え自在なコンベヤ部を備えている点にある。
【０００７】
これらの特徴構成によれば、第一搬送位置が設定された第一部分と、第二搬送位置が設定された第二部分と、が幅方向において比較的狭い間隔で配設されるため、ピッキング設備の省スペース化を図り易くなると共に、第一搬送位置の第一容器と第二搬送位置の第二容器とを近づけることができるため、第一容器から第二容器に物品を移載する移載装置の小型化を図り易くなる。
そして、可動コンベヤ部を搬送状態から退避状態に切り換えることで、可動コンベヤを作業エリアから退避させることができ、作業者が作業エリアに進入することができる。作業エリアは、第一搬送位置に対して幅方向に並んでおり、また、第二搬送位置に対して搬送方向に並んでいるため、作業エリアの作業者は、第一搬送位置に位置する第一容器や第二搬送位置に位置する第二容器に対して作業を行うことができる。
【図面の簡単な説明】
【０００８】
【図１】ピッキング設備の平面図
【図２】架台を切り欠いたピッキング設備の平面図
【図３】可動コンベヤ部を退避状態としたピッキング設備の平面図
【図４】第二コンベヤの側面図
【図５】制御ブロック図
【図６】別実施形態のピッキング設備の平面図
【図７】別実施形態の第二コンベヤの側面図
【図８】別実施形態の第二コンベヤの側面図
【発明を実施するための形態】
【０００９】
１．実施形態
ピッキング設備の実施形態について図面に基づいて説明する。
図１から図３に示すように、ピッキング設備には、第一容器Ｃ１を搬送する第一コンベヤ１と、第二容器Ｃ２を搬送する第二コンベヤ２と、第一容器Ｃ１から第二容器Ｃ２に物品Ｗを移載する移載装置３と、第一コンベヤ１や第二コンベヤ２や移載装置３が設置されている設置領域Ｅで囲う柵４と、が備えられている。
【００１０】
第一コンベヤ１は、ローラコンベヤ等により構成されており、図１〜３に矢印で示すように、第一容器Ｃ１を一方向に搬送する。第一コンベヤ１の搬送経路の途中に、第一搬送位置Ｐ１が設定されている。第一コンベヤ１は、図外の第一搬送元から第一搬送位置Ｐ１に搬送すると共に、第一搬送位置Ｐ１から図外の第一搬送先に搬送する。第一コンベヤ１により第一搬送位置Ｐ１に搬送される第一容器Ｃ１には物品Ｗが一つ以上収容されており、一つの第一容器Ｃ１には同じ種類の物品Ｗが収容されている。
【００１１】
第二コンベヤ２は、ローラコンベヤ等により構成されており、図１〜３に矢印で示すように、第二容器Ｃ２を一方向に搬送する。第二コンベヤ２の搬送経路の途中に、第二搬送位置Ｐ２が設定されている。第二コンベヤ２は、図外の第二搬送元から第二搬送位置Ｐ２に搬送すると共に、第二搬送位置Ｐ２から図外の第二搬送先に搬送する。第二コンベヤ２により第二搬送位置Ｐ２に搬送される第二容器Ｃ２には物品Ｗは収容されていないが、第二搬送位置Ｐ２から搬送される第二容器Ｃ２には、移載装置３により移載された一種類又は複数種類の物品Ｗが収容されている。
【００１２】
つまり、ピッキング設備では、物品Ｗを収容した第一容器Ｃ１が第一コンベヤ１により第一搬送位置Ｐ１に搬送され、空の第二容器Ｃ２が第二コンベヤ２により第二搬送位置Ｐ２に搬送される。そして、移載装置３は、第一搬送位置Ｐ１に位置する第一容器Ｃ１から物品Ｗを取り出し、その取り出した物品Ｗを第二搬送位置Ｐ２に位置する第二容器Ｃ２に収容するようにして、物品Ｗを第一容器Ｃ１から第二容器Ｃ２に移載する。
取り出すべき物品Ｗが全て取り出された第一容器Ｃ１は、第一コンベヤ１により第一搬送位置Ｐ１から搬送される。また、収容すべき物品Ｗが全て収容された第二容器Ｃ２は、第二コンベヤ２により第二搬送位置Ｐ２から搬送される。
【００１３】
次に、第一コンベヤ１、第二コンベヤ２、及び移載装置３について説明を加える。尚、これらの装置を説明するにあたり、第二コンベヤ２が沿う方向を長手方向Ｘと称し、長手方向Ｘにおける第二コンベヤ２の搬送方向を長手第一方向Ｘ１と称し、その反対方向を長手第二方向Ｘ２と称する。また、平面視で長手方向Ｘに対して直交する方向を幅方向Ｙと称し、幅方向Ｙにおいて第二コンベヤ２に対して第一コンベヤ１が存在する方向を幅第一方向Ｙ１と称し、その反対方向を幅第二方向Ｙ２と称する。
尚、長手第一方向Ｘ１が、第一部分１Ａの第一搬送方向に相当する。長手第二方向Ｘ２側が、第二部分２Ａの搬送方向の上流側に相当する。
【００１４】
図２及び図３に示すように、第一コンベヤ１は、第一搬送部５と第二搬送部６と第三搬送部７とを備えている。第一搬送部５は、第一容器Ｃ１を長手第一方向Ｘ１に搬送して第一容器Ｃ１を第三搬送位置Ｐ３に搬送する。第二搬送部６は、第一容器Ｃ１を幅第二方向Ｙ２に搬送して第一容器Ｃ１を第三搬送位置Ｐ３から第四搬送位置Ｐ４に搬送する。第三搬送部７は、第一容器Ｃ１を長手第一方向Ｘ１に搬送して、第一容器Ｃ１を第四搬送位置Ｐ４から第一搬送位置Ｐ１に搬送すると共に第一容器Ｃ１を第一搬送位置Ｐ１から長手第一方向Ｘ１に搬送する。
このように第一コンベヤ１は、第一搬送部５と第二搬送部６と第三搬送部７とをクランク状に配置している。そして、第三搬送位置Ｐ３には、第一搬送部５の長手第一方向Ｘ１の端部と第二搬送部６の幅第一方向Ｙ１の端部とが位置している。また、第四搬送位置Ｐ４には、第二搬送部６の幅第二方向Ｙ２の端部と第三搬送部７の長手第二方向Ｘ２の端部とが位置している。
【００１５】
第一搬送部５は、その長手第一方向Ｘ１の端部に、長手第一方向Ｘ１に搬送された第一容器Ｃ１を受け止める第一受止部９を備えている。第一搬送部５により第一容器Ｃ１を第三搬送位置Ｐ３に搬送するときに、当該第一容器Ｃ１が第一受止部９により受け止められことで、長手方向Ｘにおいて第一コンベヤ１に対して適正な位置に第一容器Ｃ１が位置する。
第二搬送部６は、その幅第二方向Ｙ２の端部に、幅第二方向Ｙ２に搬送された第一容器Ｃ１を受け止める第二受止部１０を備えている。第二搬送部６により第一容器Ｃ１を第四搬送位置Ｐ４に搬送するときに、当該第一容器Ｃ１が第二受止部１０により受け止められることで、幅方向Ｙにおいて第一コンベヤ１に対して適正な位置に第一容器Ｃ１が位置する。
【００１６】
第一コンベヤ１は、第二コンベヤ２の第二部分２Ａと平行な第一部分１Ａを有している。第一搬送位置Ｐ１は、第一部分１Ａに設定されており、この第一部分１Ａは、第一コンベヤ１における第三搬送部７に備えられている。
第一部分１Ａは、第二部分２Ａに対して幅方向Ｙにおいて作業者が入れない間隔Ｄで設置されている。ここで、本実施形態では、一般的な作業者の腹部の前後幅（腹部厚径）を２００ｍｍとして、間隔Ｄを、この２００ｍｍ未満としている。具体的には、１５０ｍｍとしている。間隔Ｄとしては、一般的な作業者の膝の前後幅（膝厚径）を１００ｍｍとして、この１００ｍｍ未満に設定する、又は、第一部分１Ａと第二部分２Ａとを接触させて０ｍｍとする等、適宜変更可能である。尚、本実施形態では、間隔Ｄを、当該間隔Ｄを利用して第一部分１Ａと第二部分２Ａとの間に架台１９の脚を設置できる間隔としている。
【００１７】
図２及び図３に示すように、第二コンベヤ２は、第二容器Ｃ２を長手第一方向Ｘ１に搬送して第二容器Ｃ２を第二搬送位置Ｐ２に搬送すると共に第二容器Ｃ２を第二搬送位置Ｐ２から長手第一方向Ｘ１に搬送する。第二搬送位置Ｐ２は、第二コンベヤ２の第二部分２Ａに設定されている。第二搬送位置Ｐ２は、第一コンベヤ１の第一搬送位置Ｐ１よりも長手第二方向Ｘ２側に設定されており、長手方向Ｘにおいて移載装置３と同じ位置に設定されている。
【００１８】
第二部分２Ａにおける、第一搬送位置Ｐ１に対して幅第二方向Ｙ２に並ぶ位置で且つ第二搬送位置Ｐ２に対して長手第一方向Ｘ１に並ぶ位置に作業エリアＥ１が設定されている。作業エリアＥ１の長手方向Ｘの幅は、第一部分１Ａと第二部分２Ａとの間隔Ｄより幅広に形成されている。作業エリアＥ１の長手方向Ｘの幅は、５００ｍｍ以上としており、本実施形態では、作業エリアＥ１において作業者が作業を行い易くするために８００ｍｍ以上となっている。
つまり、第二コンベヤ２の第二部分２Ａの一部は作業エリアＥ１に設置されている。そして、第二部分２Ａにおける作業エリアＥ１に位置する部分は、可動コンベヤ部１２に構成されている。可動コンベヤ部１２は、作業エリアＥ１の長手第一方向Ｘ１側から長手第二方向Ｘ２側に亘って位置している。
【００１９】
可動コンベヤ部１２は、作業エリアＥ１より長手方向Ｘに幅広に構成されている。そして、可動コンベヤ部１２の長手第一方向Ｘ１の端部は、第一コンベヤ１の他の部分に幅方向Ｙに沿う軸心周りに揺動可能に連結されており、可動コンベヤ部１２の長手第二方向Ｘ２の端部は、第一コンベヤ１の他の部分により下方から支持されている。そのため、可動コンベヤ部１２の長手第二方向Ｘ２の端部を上方に移動させることで、可動コンベヤ部１２を、長手第一方向Ｘ１の端部に位置する幅方向Ｙに沿う軸心周りに回転させ、姿勢を変更可能に構成されている。
そして、可動コンベヤ部１２は、図１、図２及び図４（仮想線で示す状態）に示すように、長手方向Ｘに沿う水平姿勢とした状態では、第二容器Ｃ２を長手方向Ｘに搬送する搬送状態となり、図３及び図４（実線で示す状態）に示すように、搬送状態から長手第二方向Ｘ２の端部を上方に持ち上げるように揺動させて起立姿勢とした状態では、作業エリアＥ１に作業者が入れる状態となるように作業エリアＥ１から退避する退避状態となる。このように、可動コンベヤ部１２は、搬送状態と退避状態とに切り換え自在に構成されている。
【００２０】
上述の如く、第二コンベヤ２の第二部分２Ａに、第二搬送位置Ｐ２が設定されていると共にこの第二搬送位置Ｐ２とは異なる位置に可動コンベヤ部１２が設置されている。そのため、第二搬送位置Ｐ２に第二容器Ｃ２が存在している状態で、可動コンベヤ部１２を搬送状態から作業状態に切り換え可能となっている。
作業エリアＥ１は、第二搬送位置Ｐ２に対して長手第一方向Ｘ１に隣接する位置に設定されており、幅方向Ｙにおいて第二搬送位置Ｐ２と同じ位置に位置している。そして、作業エリアＥ１の作業者が、第二搬送位置Ｐ２の第二容器Ｃ２に手が届き、第二容器Ｃ２に物品Ｗを収容できるように、作業エリアＥ１は設定されている。
また、作業エリアＥ１は、第一搬送位置Ｐ１に対して幅第二方向Ｙ２に隣接する位置にあり、長手方向Ｘで第一搬送位置Ｐ１と同じ位置にある。そして、作業エリアＥ１の作業者が、第一搬送位置Ｐ１の第一容器Ｃ１に手が届き、第一容器Ｃ１から物品Ｗを取り出すことができるように、作業エリアＥ１は設定されている。
【００２１】
柵４は、第一コンベヤ１の幅第一方向Ｙ１側に設置された第一柵４Ａと、第二コンベヤ２の幅第二方向Ｙ２側に設置された第二柵４Ｂと、を有する。第一柵４Ａは、第一コンベヤ１に沿って設置されており、第二柵４Ｂは、第二コンベヤ２に沿って設置されている。
第二柵４Ｂの一部に、設置領域Ｅの作業エリアＥ１と設置領域Ｅの外部とに移動可能な出入口１５が形成されている。この第二柵４Ｂの出入口１５は、開閉自在な扉１６で閉じられている。そして、出入口１５に対して、扉１６の開閉状態を検出する扉検出センサ１７が備えられている。扉検出センサ１７は、リミットスイッチ等により構成されており、扉１６が出入口１５を閉じている閉じ状態のときは扉１６を検出する検出状態となり、扉１６が閉じ状態から開き操作された状態のときは扉１６を検出しない被検出状態となる。このように、扉検出センサ１７は、扉１６が閉じ状態か否かを検出する。
【００２２】
作業エリアＥ１に対して幅第一方向Ｙ１で且つ第一柵４Ａに対して幅第二方向Ｙ２に、作業内容を表示する表示部１３が備えられている。表示部１３には、作業内容として、第一容器Ｃ１から取り出す物品Ｗの種類や数、第二容器Ｃ２における第一容器Ｃ１から取り出した物品Ｗを収納する位置等の情報が表示される。また、表示部１３は、タッチパネルに構成されており、作業エリアＥ１の作業者が、作業エリアＥ１において行った作業内容を入力操作可能に構成されている。
【００２３】
移載装置３は、架台１９上に設置されている。架台１９は、第一コンベヤ１における第四搬送位置Ｐ４の真上に位置しており、第一部分１Ａにより搬送される第一容器Ｃ１の上端より上方に設置されている。第一コンベヤ１により搬送される第一容器Ｃ１は、架台１９の下方を通過する。移載装置３は、第二搬送位置Ｐ２に対して幅第一方向Ｙ１に隣接する位置に設置されており、長手方向Ｘにおいて第二搬送位置Ｐ２と同じ位置に設置されている。また、移載装置３は、第一搬送位置Ｐ１に対して長手第二方向Ｘ２に隣接する位置に位置しており、幅方向Ｙで第一搬送位置Ｐ１と同じ位置に設置されている。
【００２４】
図５に示すように、ピッキング設備には、第一コンベヤ１、第二コンベヤ２及び移載装置３を制御する制御装置Ｈと、移載装置３を人為的に操作するための操作盤２４と、が備えられている。
第一搬送位置Ｐ１の上方に、第一搬送位置Ｐ１に位置する第一容器Ｃ１の内部を撮像する第一撮像装置２１が設置され、第二搬送位置Ｐ２の上方に、第二搬送位置Ｐ２に位置する第二容器Ｃ２の内部を撮像する第二撮像装置２２が設置されている。制御装置Ｈは、上位のコントローラ（図示せず）からのピッキング情報に基づいて、ピッキング対象の物品Ｗが収容されている第一容器Ｃ１を第一搬送位置Ｐ１に搬送すると共に空の第二容器Ｃ２を第二搬送位置Ｐ２に搬送するように、第一コンベヤ１と第二コンベヤ２とを制御する。また、制御装置Ｈは、ピッキング情報と、第一撮像装置２１の撮像情報に基づいて、第一容器Ｃ１に収容されている物品Ｗを保持して第一容器Ｃ１から取り出し、第二撮像装置２２の撮像情報に基づいて、第二容器Ｃ２に収容する。
【００２５】
制御装置Ｈは、移載装置３による移載の途中に移載装置３が保持していた物品Ｗを落とす等のエラーが生じた場合は、移載装置３による物品Ｗの移載を中断して移載装置３を停止させる。また、制御装置Ｈは、操作盤２４の停止ボタンが操作された場合や、扉検出センサ１７により扉１６の開き操作が検出された場合に、移載装置３による物品Ｗの移載を中断して移載装置３を停止させる。そして、扉検出センサ１７により扉１６の閉じ状態が検出されている状態で操作盤２４の復旧ボタンが操作された場合は、移載装置３を作動させて移載装置３による物品Ｗの移載を再開する。
【００２６】
制御装置Ｈは、移載装置３が移載を中断した場合、移載を中断したことを示す情報を表示部に表示させることや、警告灯やブザー等の報知装置を作動させる非常状態とする。作業者は、操作盤２４の停止ボタンを押し操作して非常状態を解除した後、扉１６を開けるとともに可動コンベヤ部１２を搬送位置から退避位置に移動させて、作業エリアＥ１に進入する。作業エリアＥ１の作業者は、第一容器Ｃ１からの物品Ｗの取り出しや第二容器Ｃ２への物品Ｗの収容するピッキング作業を行った後、行った作業内容を表示部１３に入力する。ピッキング作業を終えた作業者は、作業エリアＥ１から退出して可動コンベヤ部１２を退避位置から搬送位置に移動させ、扉１６を閉じた後、操作盤２４の復旧ボタンを押し操作する。制御装置Ｈは、停止ボタンが押し操作されるに伴って非常状態を解除し、復旧ボタンが押し操作されるに伴って、移載装置３が移載を中断したときの作業状況と表示部１３に入力された作業情報とに基づいて、ピッキング作業を再開する。
【００２７】
２．その他の実施形態
次に、ピッキング設備のその他の実施形態について説明する。
【００２８】
（１）上記実施形態では、移載装置３を、平面視で、第一搬送位置Ｐ１に対して長手方向Ｘに並び且つ第二搬送位置Ｐ２に対して幅方向Ｙに並ぶ位置に設置したが、移載装置３を、第一搬送位置Ｐ１及び第二搬送位置Ｐ２の一方又は双方と平面視で重なるように吊り下げた状態で設置する等、移載装置３の設置位置は適宜変更可能である。
【００２９】
（２）上記実施形態では、架台１９を、平面視で第一コンベヤ１の第一部分１Ａと重なるように設置したが、架台１９を、平面視で第二コンベヤ２の第二部分２Ａと重なるように設置してもよい。尚、この場合は、架台１９は、第二部分２Ａにより搬送される第二容器Ｃ２の上端より上方に設置される。また、架台１９を、平面視で第一部分１Ａ及び第二部分２Ａの双方と重ならないように設置してもよい。
【００３０】
（３）上記実施形態では、第一コンベヤ１に第一搬送部５と第二搬送部６と第三搬送部７とを備えて、第一コンベヤ１をクランク状に設置したが、例えば、図６に示すように、第一コンベヤ１を長手方向Ｘに沿って直線状に設置する等、第一コンベヤ１の設置形状は適宜変更してもよい。また、第二コンベヤ２を直線状に設置したが、第二コンベヤ２をクランク状に設置する等、第二コンベヤ２の設置形状は適宜変更してもよい。
【００３１】
（４）上記実施形態では、可動コンベヤ部１２を上方に揺動させることで、可動コンベヤ部１２の状態を搬送状態から退避状態に切り換えたが、例えば、図７に示すように、可動コンベヤ部１２を下方に揺動させることや、図８に示すように、長手方向Ｘにスライド移動させることや、可動コンベヤ部１２を第二コンベヤ２の他の部分から取り外すことで、可動コンベヤ部１２の状態を搬送状態から退避状態に切り換えるようにしてもよい。尚、図７に示す第二コンベヤ２における可動コンベヤ部１２を下方から支持する部分は、長手第二方向Ｘ２に引退可能に構成されており、当該部分を引退させることで可動コンベヤ部１２を退避位置に切り換え可能となる。また、図８に示す第二コンベヤ２は、チェーンコンベヤにて構成されており、可動コンベヤ部１２を構成するチェーンコンベヤと、第二コンベヤ２における可動コンベヤ部１２以外のチェーンコンベヤと、は搬送される第二容器Ｃ２の幅内において幅方向Ｙにずらした状態で設置されており、可動コンベヤ部１２は、第二コンベヤ２のその他の部分に対して長手方向Ｘにスライド移動可能に構成されている。
【００３２】
（５）上記実施形態では、第一部分１Ａの搬送方向と第二部分２Ａの搬送方向とを同じ方向としたが、第一部分１Ａの搬送方向を長手第二方向Ｘ２とし、第二部分２Ａの搬送方向を長手第一方向Ｘ１として、第一部分１Ａの搬送方向と第二部分２Ａの搬送方向とを異ならせてもよい。
【００３３】
（６）上記実施形態では、移載装置３が移載を中断した場合に、第一搬送位置Ｐ１に位置する第一容器Ｃ１からの物品Ｗの取り出しと、第二搬送位置Ｐ２に位置する第二容器Ｃ２への物品Ｗの収容と、のうちの何れか一方を一回又は双方を一回ずつ行ったが、移載装置３が移載を中断した場合に、第一搬送位置Ｐ１に位置する第一容器Ｃ１からの物品Ｗの取り出しと、第二搬送位置Ｐ２に位置する第二容器Ｃ２への物品Ｗの収容とを、繰り返し行うようにしてもよい。
具体的には、例えば、作業エリアＥ１の作業者が操作可能な位置に、第一コンベヤ１及び第二コンベヤ２を操作するための搬送操作盤を備える。制御装置Ｈは、搬送操作盤により第一容器Ｃ１を第一搬送位置Ｐ１から搬送する操作が行われた場合に、第一搬送位置Ｐ１にある第一容器Ｃ１を下流側に搬送すると共に、次の第一容器Ｃ１を第一搬送位置Ｐ１に搬送するように、第一コンベヤ１を制御する。また、第二搬送位置Ｐ２の第二容器Ｃ２は、物品Ｗを収容する前又は物品Ｗを収容した後に、作業者によって第二コンベヤ２における作業エリアＥ１より下流側の部分に移動させる。そして、制御装置Ｈは、搬送操作盤により第二容器Ｃ２を第二搬送位置Ｐ２から搬送する操作が行われた場合に、作業者によって移動された第二容器Ｃ２を下流側に搬送すると共に、次の第二容器Ｃ２を第二搬送位置Ｐ２に搬送するように、第二コンベヤ２を制御する。このように、作業者が搬送操作盤を操作して第一容器Ｃ１を第一搬送位置Ｐ１に順次搬送すると共に第二容器Ｃ２を第二搬送位置Ｐ２に順次搬送して、第一搬送位置Ｐ１に位置する第一容器Ｃ１からの物品Ｗの取り出しと、第二搬送位置Ｐ２に位置する第二容器Ｃ２への物品Ｗの収容とを、繰り返し行うようにしてもよい。
【００３４】
（７）なお、上述した各実施形態で開示された構成は、矛盾が生じない限り、他の実施形態で開示された構成と組み合わせて適用することも可能である。その他の構成に関しても、本明細書において開示された実施形態は全ての点で単なる例示に過ぎない。従って、本開示の趣旨を逸脱しない範囲内で、適宜、種々の改変を行うことが可能である。
【００３５】
３．上記実施形態の概要
以下、上記において説明したピッキング設備の概要について説明する。
【００３６】
ピッキング設備は、物品を収容した第一容器を搬送する第一コンベヤと、第二容器を搬送する第二コンベヤと、前記第一容器から前記第二容器に物品を移載する移載装置と、を備え、
前記第一コンベヤは、前記第二コンベヤの第二部分と平行な第一部分を有し、前記第二部分の搬送方向に対して、平面視で直交する方向を幅方向として、前記第一部分は、前記第二部分に対して前記幅方向において作業者が入れない間隔で設置され、前記第一部分に、第一搬送位置が設定され、前記第二部分に、第二搬送位置が設定され、前記移載装置は、前記第一搬送位置に位置する前記第一容器から前記第二搬送位置に位置する第二容器に物品を移載し、前記第二部分における、前記第一搬送位置に対して前記幅方向に並ぶ位置で且つ前記第二搬送位置に対して前記搬送方向に並ぶ位置に作業エリアが設定され、前記第二コンベヤは、前記作業エリアに設けられた可動コンベヤ部を備え、前記可動コンベヤ部は、前記搬送方向に前記第二容器を搬送する搬送状態と、前記作業エリアに作業者が入れる状態となるように前記作業エリアから退避する退避状態と、に切り換え自在に構成されている。
【００３７】
この構成によれば、第一搬送位置が設定された第一部分と、第二搬送位置が設定された第二部分と、が幅方向において比較的狭い間隔で配設されるため、ピッキング設備の省スペース化が図り易くなると共に、第一搬送位置の第一容器と第二搬送位置の第二容器とを近づけることができるため、第一容器から第二容器に物品を移載する移載装置の小型化も図り易くなる。
そして、可動コンベヤ部を搬送状態から退避状態に切り換えることで、可動コンベヤを作業エリアから退避させることができ、作業者が作業エリアに進入することができる。作業エリアは、第一搬送位置に対して幅方向に並んでおり、また、第二搬送位置に対して搬送方向に並んでいるため、作業エリアの作業者は、第一搬送位置に位置する第一容器や第二搬送位置に位置する第二容器に対して作業を行うことができる。
【００３８】
ここで、前記第二搬送位置は、前記第一搬送位置よりも前記搬送方向の上流側に設定され、前記移載装置は、平面視で、前記第一搬送位置に対して前記搬送方向の上流側に並び且つ前記第二搬送位置に対して前記幅方向に並ぶ位置に設置されていると好適である。
【００３９】
この構成によれば、第一搬送位置は、移載装置の搬送方向の下流側に並び、第二搬送位置は、移載装置の幅方向の一方向に並んでいるため、移載装置は、第一搬送位置に位置する第一容器及び第二搬送位置に位置する第二容器の双方と近い位置に設置することができ、移載装置による第一容器から第二容器への物品の移載を効率よく行える。
【００４０】
また、前記幅方向における前記作業エリアに対して前記第一搬送位置が存在する方向を幅第一方向として、前記作業エリアに対して前記幅第一方向に、作業内容を表示する表示部が備えられていると好適である。
【００４１】
この構成によれば、作業エリアに対して、第一搬送位置が存在する方向と同じ方向に表示部を備えることで、作業エリアの作業者が見やすい位置に表示部を設置できる。そして、作業エリアの作業者は、表示部に表示されている作業内容を見ながらピッキング作業を行えるため、ピッキング作業を行い易くなる。
【００４２】
また、前記第一部分が前記第一容器を搬送する方向を第一搬送方向として、前記第一コンベヤは、前記第一容器を前記第一搬送方向に搬送して前記第一容器を第三搬送位置に搬送する第一搬送部と、前記第一容器を前記幅方向に搬送して前記第一容器を前記第三搬送位置から第四搬送位置に搬送する第二搬送部と、前記第一容器を前記第一搬送方向に搬送して前記第一容器を前記第四搬送位置から前記第一搬送位置に搬送する第三搬送部と、を備え、前記第一搬送部又は第三搬送部は、前記第一搬送方向に搬送される前記第一容器を受け止める第一受止部を備え、前記第二搬送部は、前記幅方向に搬送される前記第一容器を受け止める第二受止部を備えていると好適である。
【００４３】
この構成によれば、第一搬送部又は第三搬送部により第一容器を搬送するときに第一受止体により受け止めることで、第一搬送方向における第一容器の位置を位置決めすることができる。また、第三搬送部により第一容器を搬送するときに第二受止体により受け止めることで、幅方向における第一容器の位置を位置決めすることができる。このように、容器を位置決めするために幅方向や第一方向に第一容器を移動させる専用の装置が必要なく、第一容器を位置決めする構成の簡素化を図ることができる。
【００４４】
また、前記移載装置は、架台上に設置され、前記架台は、前記第一部分により搬送される前記第一容器の上端と、前記第二部分により搬送される前記第二容器の上端と、のうちの少なくとも一方より上方に設置されていると好適である。
【００４５】
この構成によれば、第一部分により搬送される第一容器の上端より上方に架台を設置することで、第一部分の真上に架台を設置できる。また、第二部分により搬送される第二容器の上端より上方に架台を設置することで、第二部分の真上に架台を設置できる。このように第一部分や第二部分の真上に架台を設置することで、移載装置を設置するための専用のスペースが必要なくなり、ピッキング設備の省スペース化を図ることができる。
【産業上の利用可能性】
【００４６】
本開示に係る技術は、容器を搬送するコンベヤと物品を移載する移載装置とを備えたピッキング設備に利用することができる。
【符号の説明】
【００４７】
１：第一コンベヤ
１Ａ：第一部分
２：第二コンベヤ
２Ａ：第二部分
３：移載装置
５：第一搬送部
６：第二搬送部
７：第三搬送部
９：第一受止部
１０：第二受止部
１２：可動コンベヤ部
１９：架台
Ｃ１：第一容器
Ｃ２：第二容器
Ｄ：間隔
Ｅ１：作業エリア
Ｐ１：第一搬送位置
Ｐ２：第二搬送位置
Ｐ３：第三搬送位置
Ｐ４：第四搬送位置
Ｗ：物品
Ｘ１：長手第一方向（搬送方向、第一方向）
Ｙ：幅方向
Ｙ１：幅第一方向
【図１】
2019043698.tif 000003
【図２】
2019043698.tif 000004
【図３】
2019043698.tif 000005
【図４】
2019043698.tif 000006
【図５】
2019043698.tif 000007
【図６】
2019043698.tif 000008
【図７】
2019043698.tif 000009
【図８】
2019043698.tif 000010